(57)【特許請求の範囲】
【請求項１】
トレーに装着されたディスクを回転駆動するディスク装置において、
前記トレーのイジェクト動作過程で前記ディスクの外周に当接して前記ディスクの回転を制動するとともに少なくともその一部が前記ディスク装置のカバー下面に当接する制動部材
を有することを特徴とするディスク装置。
【請求項２】
請求項１記載の装置において、
前記ディスク装置は前記トレーを摺動自在に保持するとともにその一側面が起立するシャーシを有し、
前記制動部材は前記起立した側面の内側に設けられ、
前記制動部材は前記起立した側面の起立高さ以上にその一部が突出することを特徴とするディスク装置。
【発明の詳細な説明】
【０００１】
【発明の属する技術分野】
本発明はディスク装置、特にトレーに装着されたディスクを高速回転させてディスクの記録面に記録された情報を読み取るディスク装置のカバー取付に関する。
【０００２】
【従来の技術】
従来より、ＣＤドライブやＤＶＤドライブなどのディスク装置が知られており、デスクトップ型コンピュータやノート型コンピュータなどに内蔵されている。ノート型コンピュータに内蔵する際には、特にディスク装置の小型化が要求されており、部品点数の削減のみならず各部品の小型軽量化が必須となっている。
【０００３】
一方、ＣＤ等のディスクを着脱容易とするために、イジェクト動作時に高速回転駆動されていたディスクを確実に停止させるための機構も提案されている。
【０００４】
図４〜図６には、特開平９−２１３０００号公報に開示された従来のディスク装置の構成が示されている。図４は、トレーをディスク装置から引き出した状態の斜視図であり、図５はトレーが装着位置に係止された状態を示す平面図である。シャーシ１８の右側に延在する延在部１８ｂには起立した側面１８ｃが設けられており、この起立側面１８ｃ内側にイジェクト動作時にディスクＤAの外周が摺接する制動部材５１が固着されている。制動部材５１は、トレー１２がディスク装置内に装着されているときにはディスクＤAの外周から離間した位置に設けられており、ディスクＤAの回転動作を妨げることはない。
【０００５】
図６には、トレー１２の前面ベゼル１５に設けられたイジェクト操作用つまみ１４が図中Ｃ方向にスライド操作された（イジェクト操作された）状態が示されている。イジェクト操作用つまみ１４がＣ方向に操作されると係止部材４１の係止部４１ｃがシャーシ１８に植設されたピン４３から離間して係止を解除する。そして、係止部材４１が係止解除動作すると、押圧機構２１の押圧レバー４７がコイルバネ４８のバネ力によりシャーシ１８の後部内壁１８ａを押圧しているため、その反力によりトレー１２はイジェクト方向（Ａ方向）に押し出される。このイジェクト動作によりトレー１２は前面ベゼル１５がシャーシ１８から所定距離Ｌだけ離間した位置に摺動し、これによりトレー１２はユーザが引き出すことができる程度まで押し出される。トレー１２がディスク装置内の装着位置からイジェクト位置までイジェクトされると、ディスクＤAはその外周がシャーシ１８の起立側面１８ｃの内側に設けられた制動部材５１に当接する。これにより、慣性により回転していたディスクＤAは制動されその回転が停止する。
【０００６】
このように上記従来技術においては起立側面１８ｃの内側に制動部材５１を設けることで、小型軽量化の要求を満足しつつ確実にイジェクト動作時において高速回転するディスクを制動することが可能となる。
【０００７】
【発明が解決しようとする課題】
ところで、ディスク装置のシャーシ１８には防塵等のためカバーが取り付けられるが、図４〜図６から分かるようにディスクＤAをイジェクトする際にはディスクＤAをトレー１２ごと手前に引き出すためシャーシ１８の手前右側にはねじ止めする部材を設けることができず（このような部材を設けるとイジェクト動作時にディスクＤAが当接してイジェクトできない）、従ってシャーシ１８の手前右側についてはカバーを曲げてシャーシ１８に係止する等しなければならず、この部分ではがたつきが生じやすく、テープを巻いてがたつきを防止する等煩雑となっていた。
【０００８】
本発明は、上記従来技術の有する課題に鑑みなされたものであり、その目的は、ディスクを確実にイジェクトできるとともにイジェクト動作時にディスクの回転を確実に停止させ、かつカバーのがたつきも防止できるディスク装置を提供することにある。
【０００９】
【課題を解決するための手段】
上記目的を達成するために、本発明は、トレーに装着されたディスクを回転駆動するディスク装置において、前記トレーのイジェクト動作過程で前記ディスクの外周に当接して前記ディスクの回転を制動するとともにその上端部が前記ディスク装置のカバー下面に当接する制動部材を有することを特徴とする。
【００１０】
ここで、前記ディスク装置は前記トレーを摺動自在に保持するとともにその一側面が起立するシャーシを有し、前記制動部材は前記起立した側面の内側に設けられ、前記制動部材は前記起立した側面の起立高さ以上に突出することが好適である。
【００１１】
このように、本発明のディスク装置では、従来のようにディスクの外周に当接（あるいは摺接）してディスクの回転を制動する制動部材を設けるとともに、この制動部材にカバーのがたつきを防止する機能も持たせる、すなわち制動機能とカバー保持機能を兼用させることで小型軽量化の要求を満たしつつ上記の目的を達成することができる。具体的には、制動部材の一部、例えばその上面を従来以上に上方（カバー方向）に延在あるいは突出させてカバー下面に当接させ、カバーとの隙間をなくせばよい。
【００１２】
【発明の実施の形態】
以下、図面に基づき本発明の実施形態について説明する。なお、本実施形態に係るディスク装置のイジェクト機構及び動作は上述した従来例と同一であるのでその説明は省略する。
【００１３】
図１には、本実施形態に係るディスク装置の分解斜視図が示されている。シャーシ１８の前面には従来と同様にベゼル１５が設けられ、シャーシ１８の右側（引き出す側を前面とした右側）には起立した側面１８ｃが設けられている。また、シャーシ１８の四隅、すなわち左側の手前と奥、右側の奥２カ所にはそれぞれねじ穴１８ｅ、１８ｆ、１８ｇ、１８ｈが形成されており、カバー５０の対応する位置に設けられたねじ穴５０ａ、５０ｂ、５０ｃ、５０ｄをこれらのねじ穴に合わせ、ねじを用いてカバー５０をシャーシ１８に取り付ける。
【００１４】
また、シャーシ１８の起立側面１８ｃの内側には従来装置と略同一位置に制動部材５１が固着されている。制動部材５１は略直方体の形状をなし、その材質は弾性部材、例えばフエルトやスポンジ、ゴムなどから構成される。
【００１５】
従来装置においては、制動部材５１は単にイジェクト動作時にディスクＤAに当接してその回転を止めればよいため、ディスクの外周の高さと略同一位置に存在すればよいが、本実施形態においては図１に示されるように制動部材５１はシャーシ１８の起立側面１８ｃの高さよりも突出した上面を有しており、この上面がねじで取り付けられたカバー５０の下面に当接する。
【００１６】
図２には、図１における制動部材５１近傍の縦断面図が示されている。図２（ａ）は本実施形態の断面図であり、図２（ｂ）は比較のため従来装置の縦断面図である。図２（ａ）に示されるように、制動部材５１の上面はシャーシ１８の起立側面１８ｃの高さ以上に突出しカバー５０の下面に当接している。一方、図２（ｂ）に示されるように、従来装置の制動部材５１はカバー５０の下面に当接しておらず、カバー５０との間に隙間が生じてがたつきが生じる。図２（ａ）から、本実施形態によれば手前右側にねじ止めのスペースを設けることなく、かつ部品点数を増大させることなく、ねじ止めできないカバー部位のがたつきを防止できることが理解されよう。
【００１７】
このように、本実施形態においては制動部材５１をがたとり部材としても兼用させているため、組み立て工程を増加させることなくがたつきを防止して組み付け性を向上させることができる。
【００１８】
以上、本発明の実施形態について説明したが、本発明はこれに限定されるものではなく種々の変更が可能である。
【００１９】
例えば、本実施形態においては制動部材５１の形状は略直方体としたが、シャーシ１８の起立側面１８ｃの内側に取り付け可能であり、かつイジェクト動作時にディスクの外周に当接するとともにディスク装着時にはディスクから離間し、しかもカバー取り付け状態においてカバー５０の下面にその一部が当接する条件を満たすものであれば任意の形状とすることができる。
【００２０】
図３には、このような制動部材５１の形状が示されている。図３（ａ）は上述した制動部材５１の形状であり、直方体の１つの側面５１ｂがイジェクト動作時にディスクの外周に当接し、また上面５１ａがカバー５０の下面に当接してがたつきを防止する。
【００２１】
図３（ｂ）は縦断面形状が略Ｔ字形の制動部材５１であり、１つの側面５１ｂがイジェクト動作時にディスクの外周に当接するとともに上面５１ａがカバー５０の下面に当接してがたつきを防止する。側面５１ｂはイジェクト動作時にディスクに当接してその回転を制動するために必要な面積だけあればよく、上面５１ａはカバー５０のがたつきを確実に防止するためにその当接面積ができるだけ大きいことが望ましい。断面形状Ｔ字形の形状とすることで、このような要求を満たすことができる。
【００２２】
図３（ｃ）はさらに他の形状であり、図３（ａ）の直方体の上面にさらに立方体形状の凸部が形成されている（図３（ｂ）と上下が逆になっている）。１つの側面５１ｂでディスクＤAを制動するとともに、突出部の上面５１ａでカバー５０のがたつきを防止する。このような形状によっても、イジェクト動作時のディスク回転制動機能とがたとり機能を達成することができる。
【００２３】
また、本実施形態においては制動部材５１を起立側面１８ｃ内側に１個だけ設けているが、必要に応じて複数個設けることももちろん可能である。また、複数個の制動部材５１を設けた場合に、全ての制動部材５１の上面をカバー５０の下面に当接させる他、何れか１つの制動部材５１のみをカバー５０の下面に当接させることも可能である。
【００２４】
また、本実施形態では、制動部材５１の上面を起立側面１８ｃの高さ以上に突出させてカバー５０の下面に当接させているが、その逆であってもよい。すなわち、制動部材５１は従来装置と同様の高さとし、カバー５０の制動部材５１に対向する位置に凸部を設け、カバー５０取り付け時にこの凸部が制動部材５１の上面に当接することでがたつきを防止することも可能である。
【００２５】
要は、制動部材５１の一部とカバー５０の下面とを直接当接させればよく、この技術思想の範囲内で種々の態様が可能である。
【００２６】
さらに、本実施形態では、ノート型コンピュータに内蔵されるディスク装置を例示しているが、本発明はこれに限らず、デスクチップ型のコンピュータに内蔵するディスク装置や、コンピュータとは別個の外部機器として使用されるディスク装置にも同様に適用できる。
【００２７】
【発明の効果】
以上説明したように、本発明によればイジェクト動作時に高速回転するディスクの回転を制動できるとともにカバーのがたつきを防止することもできる。
【図面の簡単な説明】
【図１】  本実施形態に係る分解斜視図である。
【図２】  図１の一部縦断面図である。
【図３】  制動部材の斜視図である。
【図４】  従来装置の斜視図である。
【図５】  従来装置の平面図（その１）である。
【図６】  従来装置の平面図（その２）である。
【符号の説明】
１８  シャーシ、１８ｃ  起立側面、５０  カバー、５１  制動部材。
【図１】
0003719194.tif 000002
【図２】
0003719194.tif 000003
【図３】
0003719194.tif 000004
【図４】
0003719194.tif 000005
【図５】
0003719194.tif 000006
【図６】
0003719194.tif 000007